(57)【要約】【課題】吐出器の隙間から容器内へ水が侵入しないように吐出器を覆うことができる吐出器付容器用カバーを提供する。【解決手段】本吐出器付容器用カバー１は、液体を収容する容器６の蓋６１に固定されて、容器に収容された液体を吸引して外周面から側方に突出したノズル７２の先端７３から吐出する吐出器７を備える吐出器付容器５の、吐出器部を覆うカバーであって、蓋及び吐出器の外周よりも内周が大きく且つ吐出器に取着したときに少なくとも吐出器と蓋の上部とを覆う内高の有蓋筒形状の弾性材からなり、吐出器に取着したときにノズルを挿通させる挿通孔２を周壁に具備し、挿通孔の全内周がノズルの外周面に密着することを特徴とする。これにより天面６２とパイプ７４の隙間８等に水が直接かかることがなく、容器６内へ水が侵入することがない。【選択図】図２
0003180474.tif 000002
【実用新案登録請求の範囲】
【請求項１】
液体を収容する容器の蓋に固定されて前記容器に収容された液体を吸引して外周面から側方に突出したノズルの先端から吐出する吐出器を備える吐出器付容器の、前記吐出器部を覆うカバーであって、
前記蓋及び前記吐出器の外周径よりも内周径が大きく且つ前記吐出器に取着したときに少なくとも前記吐出器と前記蓋の上部とを覆う内高の有蓋筒形状の弾性材からなり、前記吐出器に取着したときに前記ノズルを挿通させる挿通孔を周壁に具備し、
前記挿通孔の全内周が前記ノズルの外周面と密着することを特徴とする吐出器付容器用カバー。
【請求項２】
前記挿通孔の径は前記ノズルの外径以下である請求項１記載の吐出器付容器用カバー。
【請求項３】
上下に摺動する前記吐出器の上端位置において、前記内高は下端が前記蓋の天面よりも下方となる高さである請求項２記載の吐出器付容器用カバー。
【請求項４】
前記有蓋筒形状の弾性材は透光性を有する請求項１又は２に記載の吐出器付容器用カバー。
【請求項５】
前記弾性材はゴム又は熱可塑性エラストマーからなる請求項４記載の吐出器付容器用カバー。
【請求項６】
前記有蓋筒形状の弾性材は透光性を有する請求項３に記載の吐出器付容器用カバー。
【請求項７】
前記弾性材はゴム又は熱可塑性エラストマーからなる請求項６記載の吐出器付容器用カバー。
【考案の詳細な説明】
【技術分野】
【０００１】
本考案は、吐出器付容器用カバーに関し、詳しくは、液体を収容する吐出器付容器の吐出器の隙間から容器内へ水が侵入しないように吐出器を覆う吐出器付容器用カバーに関する。
【背景技術】
【０００２】
シャンプー、リンス、ボディーシャンプー等の液状洗剤等を収容するために吐出器付容器が用いられている。この吐出器付容器は、容器の頭部の蓋に手押し式のポンプを用いた吐出器を具備しており、その吐出器のノズルヘッドを押し下げるとノズルヘッドの側面に設けられているノズルから液状洗剤を吐出することができる。
しかし、前記の液状洗剤を収容した吐出器付容器は、浴室内等に据え置きして用いられることが多い。このような場合、シャワー等によって湯水を浴びたりすることで、吐出器付容器の吐出器部に湯水が付着する。吐出器の隙間、特に容器の蓋と蓋から延出する吐出器のパイプの隙間に湯水が付着すると、その隙間から湯水が容器内に侵入して、液体を希釈したり、雑菌をもたらしたりするという問題がある。
このような問題に対処するために、湯水が前記の隙間付近に直接付着しないようにカバーを設けることが提案されている（例えば、特許文献１及び２を参照。）。特許文献１及び２には、カバー内に浸入した水を容易に排水できるように構成された吐出器が記載されている。
【先行技術文献】
【特許文献】
【０００３】
【特許文献１】特開２００３−１９２０６２号公報
【特許文献２】特開２００３−１７５９８８号公報
【考案の概要】
【考案が解決しようとする課題】
【０００４】
しかし、特許文献１及び２に記載されたカバーは、液体を吐出するノズルの周辺に隙間が生じているため、この隙間から水が浸入しやすく、浸入した水より下方に位置する蓋とパイプの隙間に付着して容器内へ侵入するという問題があった。
本考案は、上記のような問題に鑑み、液体を収容する吐出器付容器の吐出器の隙間から容器内へ水が侵入しないように吐出器を覆う吐出器付容器用カバーを提供することを目的とする。
【課題を解決するための手段】
【０００５】
本考案は、以下の通りである。
１．液体を収容する容器の蓋に固定されて前記容器に収容された液体を吸引して外周面から側方に突出したノズルの先端から吐出する吐出器を備える吐出器付容器の、前記吐出器部を覆うカバーであって、前記蓋及び前記吐出器の外周径よりも内周径が大きく且つ前記吐出器に取着したときに少なくとも前記吐出器と前記蓋の上部とを覆う内高の有蓋筒形状の弾性材からなり、前記吐出器に取着したときに前記ノズルを挿通させる挿通孔を周壁に具備し、前記挿通孔の全内周が前記ノズルの外周面と密着することを特徴とする吐出器付容器用カバー。
２．前記挿通孔の径は前記ノズルの外径以下である前記１．記載の吐出器付容器用カバー。
３．上下に摺動する前記吐出器の上端位置において、前記内高は下端が前記蓋の天面よりも下方となる高さである前記２．記載の吐出器付容器用カバー。
４．前記有蓋筒形状の弾性材は透光性を有する前記１．又は前記２．に記載の吐出器付容器用カバー。
５．前記弾性材はゴム又は熱可塑性エラストマーからなる前記４．記載の吐出器付容器用カバー。
６．前記有蓋筒形状の弾性材は透光性を有する前記３．に記載の吐出器付容器用カバー。
７．前記弾性材はゴム又は熱可塑性エラストマーからなる前記６．記載の吐出器付容器用カバー。
【考案の効果】
【０００６】
本考案の吐出器付容器用カバーによれば、露出している吐出器部分を覆うことができる内周及び内高の有蓋筒形状のカバーであって、且つその周壁に具備する挿通孔の全内周とノズルの外周面とが密着されるため、上方や側方から湯水がかかっても、カバー内の吐出器部と蓋の上部、特に蓋と蓋から延出するパイプとの隙間に水が付着することを防止することができる。カバーが弾性材からなるため、ノズルを挿通孔に通して容易に取着することができ、ノズルと挿通孔との間を十分に密着させることができる。また、吐出器のノズルヘッドの押し下げを妨げることもない。これにより、湯水がカバー内の吐出器部分に付着することを防止することができ、吐出器部分から容器内に浸入することがないので、容器内の液体を希釈したり、雑菌をもたらしたりすることがないようにすることができる。また、カバーは有蓋筒形状の簡素な形状であるため成型しやすく、材質が弾性材であるためノズル部分の水密性を保つための部材が不要となり、製造が容易である。
【０００７】
挿通孔の径が前記ノズルの外径以下である場合は、カバーを吐出器付容器に取着する際にノズルを挿通孔に挿通したときに、挿通孔がノズルのサイズに合わせて拡がり、挿通孔の全内周とノズルの外周面との密着性が増すため、挿通孔部からカバー内に水が侵入するのを確実に防止することができる。
上下に摺動する前記吐出器の上端位置において、前記内高は下端が前記蓋の天面よりも下方となる高さである場合は、容器に水が浸入しやすい部位である蓋と蓋天面から延出するパイプとの隙間をより確実に覆い、この隙間に水が付着することを確実に防止することができる。
【０００８】
有蓋筒形状の弾性材が透光性を有する場合は、使用者はカバー内の吐出器等を視認することができるため、吐出器の色による吐出器付容器の区別や吐出器の状態を容易に確認することができる。
弾性材がゴム又は熱可塑性エラストマーからなる場合は、挿通孔の全内周と前記ノズルの外周面とが密着するような適度な弾性を備えることが容易である。
【図面の簡単な説明】
【０００９】
【図１】吐出器付容器用カバーを示す斜視図である。
【図２】吐出器付容器用カバーを設けた吐出器付容器を説明するために、カバーを断面図とした模式図である。
【図３】吐出器付容器用カバーを設けた吐出器付容器であって、吐出器のノズルヘッドを押し下げた状態を説明するための模式側面図である。
【考案を実施するための形態】
【００１０】
以下、図１〜３を参照しながら本吐出器付容器用カバーを詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１１】
図１に例示する本吐出器付容器用カバー１は、図２に示す吐出器付容器５の吐出器７と容器６の蓋６１の上部を覆うカバーであって、有蓋筒形状の弾性材からなり、筒部の周壁にノズル７２の挿通孔２が形成されている。また、吐出器付容器５は、任意の液体を収容する容器６と、容器６の頭部の口を塞ぐ蓋６１と組み合わせて設けられている吐出器７とからなる。吐出器７は、蓋６１を上下に貫通するパイプ７４と、パイプ７４の上端に設けられているノズルヘッド７１と、ノズルヘッド７１の外周面から側方に突出して容器６内の液体を先端７３から吐出するノズル７２と、ノズルヘッド７１を上下に動かしたときに容器６内の液体を吸引してノズル７２へ送出するポンプ（図示せず）とを備える。
【００１２】
吐出器付容器用カバー１は、吐出器７のノズルヘッド７１に被せるように取着され、吐出器７及び蓋６１の上部を覆うことができる形状及び大きさである。吐出器７及び蓋６１の上部には、図２に示す容器６の蓋６１の天面６２と吐出器７のパイプ７４との境目にある隙間８等の隙間があり、水はこの隙間を通って容器６内に浸入してしまう。吐出器付容器用カバー１は、このような隙間のある吐出器７及び蓋６１の上部を覆うことで、湯水を浴びたときに吐出器７部に水が付着することを防ぐ。
【００１３】
吐出器付容器用カバー１の形状は、ノズルヘッド７１を上から覆う蓋部分１１と、容器６から露出している吐出器７のノズルヘッド７１及びパイプ７４を覆う筒部分１２と、からなる有蓋筒形状である。吐出器付容器用カバー１によって、ノズル７２の先端部分７３を除いて、吐出器７及び蓋６１の上部の全体が覆われる。
上記有蓋筒形状は、図１及び２に示す平坦な蓋部分１１と、円筒形状の筒部分１２とからなる形状に限られず、例えば椀形状の蓋部分１１と、角柱形状の筒部分１２であってもよいし、蓋部分１１及び筒部分１２が一体と化して境界がない形状であってもよい。
【００１４】
吐出器付容器用カバー１の大きさは、図２に示すように、内周径が吐出器７、特にノズルヘッド７１の外周径よりも大きく、ノズルヘッド７１を上下に動かす際に妨げとならない。また、内高、即ちカバー内の空間の高さは、吐出器７に取着したときに少なくとも吐出器７及び蓋６１の上部を覆う高さである。特に、吐出器７のノズルヘッド７１が上端に位置するときに、蓋６１の上方の一部（例えば、蓋６１の高さの１／２程度）を覆う内高とすることができる。
このような大きさとすることによって、ノズルヘッド７１等がカバー１内に納まり、ノズルヘッド７１を上下に動かしたときにカバー１が支障にならず、且つ容器６の蓋６１の天面部分６２とを覆い、天面部分６２が直視できないだけの高さとなるため、上方や側方から湯水を浴びたときに、吐出器７及び吐出器７と蓋６１との隙間に水が付着することを防ぐことができる。
【００１５】
図３に例示するように、ノズルヘッド７１を下端まで押し下げたときであっても、吐出器付容器用カバー１の下端が容器６に接触する程度、又は上方に位置する高さとするのが好ましい。それに限らず、上記の高さを超える高さであっても、ノズルヘッド７１を押し下げる力により吐出器付容器用カバー１が弾性により変形するため、ノズルヘッド７１を下端まで押し下げることができ、吐出器７の使用に支障は生じない。
【００１６】
吐出器付容器用カバー１は、図２に示すように、ノズル７２の先端部分７３が露出するように、吐出器７への取着時にノズル７２が突出する位置の周壁に挿通孔２が形成されている。挿通孔２の形状及び大きさは、その内周とノズル７の外周面とが密着する形状及び大きさとすることができる。特に、挿通孔２の径がノズル７２の外径以下であれば、ノズル７２の形状及び大きさに応じて弾性により挿通孔２が押し広げられ、挿通孔２の全内周とノズル７の外周面との密着性を高めることができる。また、挿通孔２の形状がノズル７の形状が多少一致していなくても、弾性により挿通孔２が変形し、ノズル７の外周面と密着させることができる。
【００１７】
吐出器付容器用カバー１は、挿通孔２の内周とノズル７の外周面との密着性を得る程度の弾性を備える材質からなり、例えば、ゴム又は熱可塑性エラストマーを用いることができる。
ゴムとしては、シリコーンゴム、エチレン／プロピピレン共重合ゴム、エチレン／プロピピレン／ジエン共重合ゴム、ポリイソプレンゴム等の各種のゴムを用いることができる。また、スチレン系熱可塑性エラストマーも特に限定されず、水添スチレン／ブタジエンランダム共重合体、スチレン／ブタジエン／スチレンブロック共重合体、スチレン／イソプレン／スチレンブロック共重合体、スチレン／エチレン／ブチレン／スチレンブロック共重合体、スチレン／エチレン／プロピレン／スチレンブロック共重合体等が挙げられる。これらのうちでは、透光性を備えることができ、汚れが付着しにくいシリコーンゴムを好例とすることができる。
【００１８】
吐出器付容器用カバー１は、透光性であってもよいし、不透光性であってもよい。透光性である場合は、吐出器付容器用カバー１内の吐出器７を視認することができる。これによって、使用者は吐出器の色により吐出器付容器を容易に区別したり、吐出器の状態を確認したりすることができる。
【００１９】
このような吐出器付容器用カバー１は、図２に示すように、ノズルヘッド７１のノズル７２を挿通孔２に挿通した状態で取着することができる。図２に示す吐出器付容器用カバー１は、図１に示したような円板形状の蓋部分１１と円筒形状の筒部分１２を備える有蓋筒形状である。また、吐出器付容器用カバー１の内径は、ノズルヘッド７１及び蓋６１の外径よりも３〜７ｍｍ大きく、ノズルヘッド７１の上下移動に支障が出ない大きさとしている。
【００２０】
また、吐出器付容器用カバー１の下端は、ノズルヘッド７１が上端に位置するときに蓋６１の天面よりも２ｍｍ以上下方となり、且つ、図３に示すようにノズルヘッド７１が下端に位置するときに容器６の肩部よりも上方に位置する内高を備えるため、ノズル７２以外の露出部位であるノズルヘッド７１とパイプ７４を吐出器付容器用カバー１によって覆い、更に蓋６１の天面６２も覆われているため、天面６２とパイプ７４の隙間８等に水が直接かかることがなく、隙間８等から容器６内へ水が侵入し、容器６に収容した液体を希釈したり雑菌をもたらしたりすることがない。
【００２１】
また、挿通孔２は、ノズルヘッド７１のノズル７２の突出位置に対応するように吐出器付容器用カバー１の周壁（筒部分１２）に設けられ、ノズル７２の外径よりも０〜１．３ｍｍ小さな内径としている。これによって、取着時に吐出器付容器用カバー１の弾性により拡径し、その全内周とノズル７２の外周面とを密着させて水密とすることができ、ここから水が侵入することがない。
更に、吐出器付容器用カバー１は透光性を備えたシリコーンゴムを用いた弾性材であるため、吐出器７の色による吐出器付容器５の区別をし易くしたり、吐出器７の状態を確認したりすることを容易にすることができる。
【符号の説明】
【００２２】
１；吐出器付容器用カバー、２；挿通孔、５；吐出器付容器、６；容器、６１；蓋、６２；天面部分、
７；吐出器、７１；ノズルヘッド、７２；ノズル、７４；パイプ。
【図１】
0003180474.tif 000003
【図２】
0003180474.tif 000004
【図３】
0003180474.tif 000005